【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】
Ｂ０不均等性、及びＭＲＩの周波数空間データに基づいて脂肪信号を主としたＮＭＲイメージングデータと水信号を主としたＮＭＲイメージングデータとが補正された化学シフトを取得するものであり、水の原子核の位相と脂肪の原子核の位相とが同調しない（out of phase）方法であって、
混在した水／脂肪が同調しない情報を具備する複素画像ドメイン信号Ｓを求めるために、取得されたＮＭＲ周波数空間データ信号をフーリエ変換するものであって、取得されたＮＭＲ周波数空間データ信号が、シーケンス毎にシングルエコーを生成するＭＲＩパルスシーケンスを有するシングルデータ取得スキャンから取得されるステップと、
前記画像ドメイン信号Ｓの自乗を求めるステップと、
前記画像ドメイン信号Ｓの自乗を具備する位相偏角を求め、
2φ = arg {S2}
に基いて前記画像ドメイン信号Ｓについての位相値情報Φを決定するステップと、
多項式モデルによる領域拡張位相巻き戻し法(region-growing phase unwrapping method)に従って、前記位相値情報Φを巻き戻すステップと、
Iwater-pixel = |S| + S exp {iφ}  and  Ifat-pixel = |S| - S exp {iφ}
に従って前記巻き戻した位相値情報Φを使用し、水が支配的である画素データＩｗａｔｅｒ−ｐｉｘｅｌと脂肪が支配的である画素データＩｆａｔ−ｐｉｘｅｌを求めるステップと、
を具備することを特徴とする磁気共鳴イメージング方法。
【請求項２】
前記周波数空間のデータは、シングルスキャンの単一点ディクソン磁気共鳴イメージング系列から得られるものであることを特徴とする請求項１記載の磁気共鳴イメージング方法。
【請求項３】
Ｂ０不均等性、及びＭＲＩのシーケンス生データに基づいて脂肪信号を主としたＮＭＲイメージングデータと水信号を主としたＮＭＲイメージングデータとが補正された化学シフトを取得するものであり、水の原子核の位相と脂肪の原子核の位相とが同調しない（out of phase）方法であって、
ＮＭＲ生データを、ＭＲＩパルスシーケンスがシーケンス毎のシングルエコーを生成するシングルイメージ取得スキャンから取得する手段と、
位相が反転している水と脂肪が混在した情報からなる複素画像信号Ｓを求めるために、磁気共鳴生データ信号をフーリエ解析する解析手段と、
前記フーリエ解析の後、画像信号Ｓの自乗を求める第１の演算手段と、
前記画像信号Ｓの自乗の位相偏角を求め、
2φ = arg {S2}
に基いて前記画像信号Ｓについての位相値情報Φを決定するステップと、
多項式モデルによる領域拡張位相巻き戻し法に従って、前記位相値情報Φを巻き戻す位相巻き戻し手段と、
Iwater-pixel = |S| + S exp {iφ}  and  Ifat-pixel = |S| - S exp {iφ}.
に従って前記巻き戻した位相値情報Φを使用し、水が支配的である画素データＩｗａｔｅｒ−ｐｉｘｅｌと脂肪が支配的である画素データＩｆａｔ−ｐｉｘｅｌを求める画像データ生成手段と、
を具備することを特徴とする磁気共鳴イメージング装置。
【請求項４】
前記周波数空間のデータは、シングルスキャンの単一点ディクソン磁気共鳴系列から得られた生データであることを特徴とする請求項３記載の磁気共鳴イメージング装置。
【請求項５】
Ｂ０不均等性、及びシングルイメージ取得スキャンから取得される生の周波数空間データに基づいて脂肪信号を主としたＮＭＲイメージデータと水信号を主としたＮＭＲイメージデータとが補正された化学シフトを展開する装置であって、前記シングルイメージ取得スキャンにおいては、ＭＩパルスシーケンスはシーケンス毎のシングルエコーを生成し且つ水原子核及び脂肪原子核のデータとが同調せず（out of phase）、記憶メモリとＩ／Ｏ装置とを有するコンピュータを具備し、前記メモリはＮＭＲ信号解析を実行するための規則及び／又は指示を格納する装置であり、
前記コンピュータは、
前記メモリは、各磁気共鳴信号解析を実行する規則、構造の少なくとも一方を記憶しており、
フーリエ変換された周波数領域の磁気共鳴信号Ｓの自乗値を求め、前記磁気共鳴信号Ｓの自乗値の位相偏角を求め、
2φ = arg {S2}
に従って磁気共鳴信号Ｓに対する位相値情報Φを求め、多項式モデルによる領域拡張位相巻き戻し法に従って位相値情報を巻き戻し、
Iwater-pixel = |S| + S exp {iφ}  and  Ifat-pixel = |S| - S exp {iφ}
に従って前記巻き戻した位相値情報Φを使用し、水が支配的である画素データＩｗａｔｅｒ−ｐｉｘｅｌと脂肪が支配的である画素データＩｆａｔ−ｐｉｘｅｌを
求めるためにプログラムされている装置。
【請求項６】
前記周波数空間のデータは、シングルスキャンの単一点ディクソン磁気共鳴系列から得られた生データであることを特徴とする請求項５記載の核磁気共鳴イメージングデータ取得装置。
【請求項７】
ＭＲＩシステムにおいて、ＭＲＩパルスシーケンスがシーケンス毎にシングルエコーを生成するシングルイメージ取得スキャンからＭＲＩイメージデータを解析するコンピュータであって、前記コンピュータは、記憶メモリとＩ／Ｏ装置とを有するプロセッサを具備し、前記メモリは、周波数ドメインＮＭＲ信号解析を実行するための規則及び／又は指示を格納するものであり、前記プロセッサは、
周波数領域においてフーリエ変換された複素磁気共鳴イメージング信号Ｓの自乗値を求め、
2φ = arg {S2}
に従って、前記信号Ｓの自乗値の位相偏角を求め、前記信号Ｓに対する位相値情報を求め、多項式モデルによる領域拡張位相巻き戻しアルゴリズムに従って位相値情報を巻き戻し、
Iwater-pixel = |S| + S exp {iφ}  and  Ifat-pixel = |S| - S exp {iφ}
に従って水が支配的である画素データＩｗａｔｅｒ−ｐｉｘｅｌと脂肪が支配的である画素データＩｆａｔ−ｐｉｘｅｌを生成し、
前記ＭＲＩシステムは、水の原子核と脂肪の原子核とが同調していない取得されたＭＲＩシーケンス周波数空間データからフーリエ解析した後、Ｂ０不均等性、及び脂肪信号を主としたＮＭＲイメージデータと水信号を主としたＮＭＲイメージデータとが補正された化学シフトを展開するようにプログラムされているコンピュータ。
【請求項８】
前記周波数空間のデータは、シングルスキャンの単一点ディクソンＭＲＩシーケンスを用いて得られた生データであることを特徴とする請求項７記載の磁気共鳴イメージングシステム。
【請求項９】
前記周波数空間のデータは、フィールドエコーシーケンスを用いて得られたデータであることを特徴とする請求項７記載の磁気共鳴イメージングシステム。
【請求項１０】
前記周波数空間のデータは、スピンエコーシーケンスを用いて得られたデータであることを特徴とする請求項７記載の磁気共鳴イメージングシステム。
【請求項１１】
前記周波数空間のデータは、高速イメージングＭＲＩパルスシーケンスを用いて得られたデータであることを特徴とする請求項７記載の磁気共鳴イメージングシステム。
【請求項１２】
前記周波数空間のデータは、シングルスキャン単一点ディクソンＮＭＲシーケンスを用いて得られたデータであることを特徴とする請求項１記載の磁気共鳴イメージングシステム。